(57)【要約】【課題】携帯品に対するベルトクリップの着脱が容易で、ベルトクリップが一旦取り付けられると不用意に離脱しないようにする。【解決手段】ベルト４０への掛け止めにより携帯品３１をベルト４０に装着するベルトクリップ１において、携帯品側取付面３２に間隔を保って配置されて、上側部分に形成された切欠部１１及び該切欠部内に突出された弾性押圧片１５並びに背面側で略下向きに突設された差込片１４を有する板状本体１０と、背面側に突設された係合爪２２を有し、切欠部１１に回動自在に組み付けられたとき押圧片１５により係合爪２２のロック方向へ付勢される操作レバー２０とからなり、携帯品の取付面３２に設けられた差込穴３３及び係止穴に対し、本体１０を摺動することで差込片１４が差込穴３３に挿入されると共に、係合爪２２が係止穴３４に係合し、操作レバー２０を押圧片１５の付勢に抗して押すことで係合解除される。【選択図】図１
2008160143.tif 000002
【特許請求の範囲】
【請求項１】
携帯品に着脱自在に取り付けられて、ベルトへの掛け止めにより携帯品をベルトに装着するベルトクリップにおいて、
前記携帯品の取付面に所定の間隔を保って配置されて、上側部分に形成された切欠部及び該切欠部内に突出された弾性押圧片並びに背面側で略下向きに突設された差込片を有する板状の本体と、
背面側に突設された係合爪を有し、前記切欠部に回動自在に組み付けられたとき前記押圧片により前記係合爪のロック方向へ付勢される操作レバーとからなり、
前記携帯品の取付面に設けられた差込穴及び係止穴に対し、前記本体を摺動することにより、前記差込片が前記差込穴に挿入されると共に、前記係合爪が前記係止穴に係合し固定され、前記操作レバーを前記押圧片の付勢に抗して押すことにより係合解除されることを特徴とする携帯機器用ベルトクリップ。
【請求項２】
前記操作レバーは、本体の一部を構成するよう形成されていると共に、本体に対し軸部及び係合穴を介し回動自在に組み付けられている請求項１に記載の携帯機器用ベルトクリップ。
【請求項３】
前記本体が、一部にスリット等を介し区画形成されて、下連結部から後側斜め上方へ突出し下連結部を支点として揺動される弾性舌片を有している請求項１又は２に記載の携帯機器用ベルトクリップ。
【発明の詳細な説明】
【技術分野】
【０００１】
本発明は、携帯ラジオや電話機、携帯計測器やカメラ等の携帯機器に取り付けられるベルトクリップに関するものである。
【背景技術】
【０００２】
図９はこの種のベルトクリップの一例を示している。同図のベルトクリップ３５は、携帯品３０のハウジング３０Ａ，３０Ｂや収納ケースの取付面に取り付けられて、例えば、人の腰回りのベルト４０に対し掛け止めして携帯品３０を装着保持するものである。従来品において、ベルト４０への掛け止め構造としては、同図の如く携帯品３０の取付面とベルトクリップ３５との間にベルト４０を挿入したり、実開昭６１−１２５０８１号に例示される如くベルトクリップが縦断面で逆Ｕ形に形成され、その逆Ｕ形内にベルトを挿入して掛け止めするようにしている。また、携帯品への取付構造としては、特許文献１に例示される如くねじを用いて携帯品側に取り付けたり、実開昭６２−４７１７６号や実開昭６１−１２５０８１号に例示される如くベルトクリップに複数の係合爪を一体に形成し、該係合爪を携帯品側に設けられた係止穴に係合し取り付けるようにしている。
【特許文献１】実用新案登録第３００１１９５号公報
【発明の開示】
【発明が解決しようとする課題】
【０００３】
以上の従来ベルトクリップでは、次のような観点から問題を有し、未だ満足できないものになっている。すなわち、携帯品への取付構造では、ベルトクリップ３５が色々な方向から外力を受けるが、特に図９の矢印方向の外力Ｆに強いことが必須となる。ねじ止め構造では、着脱に時間が係るばかりでなく、ねじを携帯品のハウジングやケースの穴に単に螺入しただけでは抜け強度的に不足するため、ねじに対応してナットを携帯品側に追加しなくてはならず、ハウジングやケース等の成形性や組立性が悪くなる。係合構造では、ベルトクリップの係合爪とハウジング側の係止穴との係合強度を強くする程、着脱する際にそれに比例した大きな力を必要となり、例えば、取り付けられた状態から再び外す場合に容易ではなく、使い勝手が悪い。なお、ベルトへの掛け止め構造は、図９の如く下向きのクリップ本体と携帯品３０の取付面との間、又は縦断面が逆Ｕ形のベルトクリップでは対向する片部同志の間に一定の隙間を確保しておき、ベルトを当該隙間から挿入する。このような構造では、同図の如くクリップ本体の下端内側に突起３５ａを設けて、前記隙間に挿入されたベルト４０が不用意に抜けでないようにしているが、ベルト４０の厚さが薄くなったり、幅ｔが細くなると、フィット性に欠けて、ベルトに安定保持できなくなる。
【０００４】
本発明は上記背景に鑑みてなされたものである。その目的は、特に、携帯品に対するベルトクリップの取り付け、取り外しが容易であり、同時にベルトクリップが一旦取り付けられると不用意に離脱しないようにすることにある。更に他の目的は以下に説明する内容の中で順次明らかにして行く。
【課題を解決するための手段】
【０００５】
上記目的を達成するため本発明は、携帯品に着脱自在に取り付けられて、ベルトへの掛け止めにより携帯品をベルトに装着するベルトクリップにおいて、前記携帯品の取付面に所定の間隔を保って配置されて、上側部分に形成された切欠部及び該切欠部内に突出された弾性押圧片並びに背面側で略下向きに突設された差込片を有する板状の本体と、背面側に突設された係合爪を有し、前記切欠部に回動自在に組み付けられたとき前記押圧片により前記係合爪のロック方向へ付勢される操作レバーとからなり、前記携帯品の取付面に設けられた差込穴及び係止穴に対し、前記本体を摺動することにより、前記差込片が前記差込穴に挿入されると共に、前記係合爪が前記係止穴に係合し固定され、前記操作レバーを前記押圧片の付勢に抗して押すことにより係合解除されるようにした構成である。
【０００６】
以上の構造では、本体と操作レバーとは一体もののベルトクリップとして組み付けられる。携帯品の取付面には、本体の差込片に対応した差込穴と、操作レバーの係合爪に対応した係止穴とが予め形成される。そして、このベルトクリップは、携帯品の取付面に対し、例えば、上から下向きに摺動操作されると、本体の差込片が対応する差込穴に挿入され、この挿入最終段階で操作レバーの係合爪が対応する係止穴に係合して、前記差込片の抜けを阻止した状態で取付面に固定される。この係合力は、操作レバーが本体の押圧片により係合爪のロック方向へ付勢されていることから、構造的に増大できる。ベルトクリップを外す場合は、押圧片の付勢に抗して操作レバーを押すことにより、係合解除されることから、その後はベルトクリップを取り付けと反対方向へ摺動するだけでよい。
【発明の効果】
【０００７】
以上説明したとおり、本発明のクリップクリップは次の効果を有している。
請求項１では、携帯品の取付面（通常、携帯機器用ハウジングや収納ケース等の背面側）に取り付ける場合、取り外す場合の何れもが比較的弱い力で行うことができる。しかも、取付状態では、操作レバーの係合爪が対応する係止穴に係合し、かつ、その係合が本体の押圧片により維持されるため構造的に強くできる。ベルトクリップを外す場合は、押圧片の付勢に抗して操作レバーを押して前記係合を解除し、ベルトクリップの取り付けと反対方向へ摺動するだけでよいことから、着脱操作性も優れている。請求項２では、ベルトクリップとしての外観性を維持でき、操作レバーと本体との組立性も良好になる。請求項３では使い勝手がより向上される。
【発明を実施するための最良の形態】
【０００８】
以下、本発明の実施形態を添付図面に基づいて詳細に説明する。なお、以下に述べる形態は、本発明の好適な具体例であるから技術的に好ましい種々の限定が付されているが、本発明の技術的範囲を制約するものではない。
【０００９】
図１から図８は本発明形態としてベルトクリップを示している。このうち、図１はベルトクリップ構成を携帯品との関係で示す分解斜視図、図２はベルトクリップを携帯品に取り付けた状態で正面から見た図、図３はベルトクリップを携帯品に取り付ける要領を図２のＡ−Ａ線断面で示す図、図４（ａ）はベルトクリップを携帯品から取り外す要領を図２のＡ−Ａ線断面で示す図、図４（ｂ）は図２のＢ−Ｂ線断面図である。図５から図７はクリップ本体（請求項の本体に相当）単品を示し、図５（ａ）はクリップ本体を前面側から見た図、図５（ｂ）は裏面側から見た図、図６（ａ）は図５のＣ−Ｃ線断面図、図６（ｂ）は図５のＤ−Ｄ線断面図、図７（ａ）は図５のＥ−Ｅ線断面図、図７（ｂ）は図５のＦ−Ｆ線断面図、図７（ｃ）は図５のＧ−Ｇ線断面図である。図８は操作レバー単品を示し、図８（ａ）は操作レバーを前面側から見た図、図８（ｂ）は裏面側から見た図、図８（ｃ）は側面から見た図、図８（ｄ）は同（ａ）のＨ−Ｈ断面図である。
図のベルトクリップ１は、クリップ本体１０及び操作レバー２０からなる。クリップ本体１０及び操作レバー２０は何れもが樹脂成形品であり、クリップ本体１０に対し操作レバー２０を組み付けてから携帯品３１に取り付けられる。
【００１０】
なお、携帯品３１は携帯ラジオの例であるが、他の電話機，計測器，カメラ等の携帯機器であってもよい。この携帯品３１は、省略した図となっているが、ハウジング（筺体又はケースと同じ）３１Ａ，３１Ｂを有し、図９の如くベルト４０と対向する取付面３２（ウジング３１Ｂの背面側）に設けられた４個の差込穴３３及び１個の係止穴３４を有している。取付面３２は上側が多少湾曲しているが、全体に平面となっている。差込穴３３は、取付面３２の上側中間の外面に設けられており、上段に位置する左右の上差込穴３３ａと、下段に位置する左右の下差込穴３３ｂとで構成されている。上下差込穴３３ａ，３３ｂは、何れもが取付面３２の肉厚内に凹形に形成され、上から下向きに開口した状態に形成されている。上差込穴３３ａは、下差込穴３３ｂに対し若干両側にずれていると共に、深さ的に浅くなっている。係止穴３４は、両側の上差込穴３３ａの略中間に位置し、水平方向の横穴となっている。
【００１１】
クリップ本体１０は、全体が概略矩形の板状をなし、上側中間部分の一部を欠如した切欠部１１と、切欠部１１の真下に位置して両側のスリット１２により区画されている弾性舌片１３と、裏面側に２段に突設された合計４個の差込片１４と、切欠部１１内に片持ち状態に設けられた押圧片１５とを一体に有している。外観的には、周囲が両側部分１０ａ及び下部分１０ｂにて区画され、舌片１３及び押圧片１５が下部分１０ｂの中間部上に位置している。両側部分１０ａの上側は、取付面３２に対応して多少湾曲形成されていると共に、図５（ｂ）の如く裏面側にあって上下の差込片４の間の一部１０ｃを欠肉した凹状となっている。下部分１０ｂの裏面側には２個のリブ状の突起１８が設けられている。
【００１２】
切欠部１１は、クリップ本体１０の上側中間部分を略矩形に欠如し、内側略中間幅方向に横片部１６が設けられると共に、押圧片１５が横片部１６の前側中間から下向きに突出された状態となっている。横片部１６は、両側部分１０ａの間にあって背面側に位置し、両側部分１０ａの前面よりも一段低くなっている。横片部１６の下両側には受け部１６ａが付設され、図６等に示す如く各受け部１６ａを利用して前記した一部１０ｃの凹状内に通じる操作レバー用の係合穴１７が設けられている。押圧片１５は、多少湾曲した弾性片であり、横片部１６の下側から舌片１３に接近し、先端が前面側に位置していて、前面側から押したときに反力が得られるようになっている。舌片１３は、両側がスリット１２を介し両側部分１０ａと分離され、上側が横片部１６の下側に位置する切欠部１１に通じている。形状的には、略矩形板状をなし、下部分１０ｂと連結された下連結部１３ａから後側斜め上方へ突出されている。すなわち、この舌片１３は、上又は先端側が少なくとも両側部分１０ａの背面よりも後方に位置しており、下連結部１３を支点として弾性的に揺動される。そして、図３の如くベルト４０に対する掛け止め時には、両側部分１０ａと取付面３２との間の間隔にベルト４０を挿入するが、その際、舌片１３は弾性的に揺動しつつベルト４０の挿入を許容し、挿入後はベルト４０を取付面３２側へ弾性的に押し付けるものである。
【００１３】
差込片１４は、両側部分１０ａの上背面側に設けられており、上段左右の上差込片１４ａ及び下段左右の下差込片１４ｂとからなる。上差込片１４ａは両側部分１０ａの上縁部から下向きに突出され、下差込片１４ｂは上記した一部１０ｃを区画している下壁から下向きに突出されている。２個の上差込片１４ａは、対応する下差込片１４ｂよりも若干両側にずれていると共に、下差込片１４ｂよりも短くなっている。なお、これら上下差込片１４ａ，１４ｂは、取付面３２側の上下差込穴３３ａ，３３ｂに対応するものである。図中、符合１９ａ，１９ｂは両側部分１０ａの前面側に必要に応じて形成される窪みである。
【００１４】
これに対し、操作レバー２０は、舌片１３上の切欠部１１に対応して形成されており、図２の如く舌片１３と若干の隙間を保った状態で切欠部１１をほぼ覆う大きさになっている。形状的には、図８の如く上側が取付面３２に対応して多少湾曲形成されていると共に、裏面ないしは背面側の周囲が縁取り２１されており、縁取り２１の内側にあって上側湾曲部の背面に突出された係合爪２２と、縁取り２１の両側略中間に突出された軸部２３等を有している。係合爪２２は、取付面３２側の係止穴３４に対応して設けられ、背面側幅方向に設けられて、先端が略水平方向へ突出している。この係合爪２２は、この下両側に設けられたリブ２２ａにより補強されている。各軸部２３は、クリップ本体１０の対応する係合穴１７に嵌合可能な長さに形成されている。縁取り２１には、両軸部２３の上側に対応する部分を略直角に欠如した受け面２４が設けられている。この受け面２４は、操作レバー２０をクリップ本体１０の切欠部１１に配置したときに、横片部１６の上側縁部に当たるようになっている。前面には、下部側に補強と滑り止めを兼ねる複数の横リブ２５が設けられている。また、前面には図示を省略したが、横リブ２５の上側にＰＵＳＨ等の文字が刻印されている。
【００１５】
以上の操作レバー２０は、クリップ本体１０に対し、切欠部１１に対応して配置されて、両側の軸部２３を対応する係合穴１７にそれぞれ差し込むことによりベルトクリップ１として組み付けられる。組立状態では、図３等の如く操作レバー２０が背面側から押圧片１５の反発力を受けて、軸部２３を支点として反時計回り（係合爪２２のロック方向）に回動される。この回動は、受け面２４が横片部１６の上側縁部に当たることにより規制され、通常のロック位置に保持される。ベルトクリップ１はその状態から携帯品３１に取り付けられることになる。
【００１６】
携帯品３１への取付要領は、図３に示すベルトクリップ１を取付面３２に対し上側から下向き摺動操作するが、この場合、クリップ本体１０の各差込片１４ａ，１４ｂが取付面３２側の差込穴３３ａ，３３ｂに対応するよう図３の矢印方向へ摺動する。そして、操作レバー２０の係合爪２２は、各差込片１４ａ，１４ｂが対応する差込穴３３ａ，３３ｂに完全に差し込まれる直前に、横穴の係止穴３４に落ち込んで係合する。この係合爪２２は、前述したように操作レバー２０が押圧片１５により係合爪２２のロック方向へ回動付勢されているため、一旦係止穴３４に係合されると、操作レバー２０を押圧片１５の付勢力に抗して回動しない限り解除されない。このように、ベルトクリップ１は、取付面３２に対し各差込片１４ａ，１４ｂによる４箇所の差込係合により位置規制されると共に、各差込片１４ａ，１４ｂの抜けが係合爪２２の係合により阻止された状態で取り付けられている。この取付状態は、押圧片１５の反発力に応じたテンションが係合爪２２に加わっているため確実に維持される。
【００１７】
以上のベルトクリップ１は、ベルト４０（例えば、ベルト以外に衣類の端側であってもよい）に対して、図９の従来品と同様な要領にて掛け止めされて携帯品３１を装着することになる。従来と異なる点は、取付面３２とクリップ本体１０との間に弾性舌片１３が位置しており、この舌片１３による作用が発現されることである。すなわち、通常は、図３の下側に示したように、ベルト４０がクリップ本体１０の突起１８と取付面３２との間隔よりも厚くなっており、クリップ本体１０を反時計回り（同図のＡ矢印方向）に押し広げながら挿入され、更に舌片１３を実線の初期位置から想像線の方向へ下連結部１３ａを支点として変位しつつ挿入される。このため、このベルトクリップ１では、ベルト４０に掛け止めされた状態において、ベルト４０が舌片１３の初期位置に復元しようとする反発力により取付面３２側に圧接される。この結果、ベルト４０との間で相対的な動きが少なくなり、携帯品３１をより安定した状態で装着保持することができる。この作用は、被装着物であるベルト４０の厚さ等が異なっても、舌片１３の弾性作用により同様に得ることができる。また、ベルトクリップ１は、ベルト４０の初期挿入時や舌片１３が弾性変位した状態において、上側を支点として図３のＡ矢印方向へ押される。Ａ矢印方向の押圧力は、係止穴３４に対する係合爪２２の係合を強めてロック力を増大する。同様に、携帯品３１がベルト４０に装着された状態において、携帯品３１に図３のＦ矢印方向の外力が加わった場合にも、係止穴３４と係合爪２２との係合を強めるよう作用する。したがって、この構造では、ベルトクリップ１が取付面３２に対し容易に取り付け操作されると共に、一旦取り付けられると携帯品３１等に加わる外力により不用意に外れないものとなる。
【００１８】
また、以上のベルトクリップ１は、携帯品３１から必要に応じて取り外したいことがある。その場合は、図４（ａ）に示す如く操作レバー２０の下側を押圧片１５の反発力に抗して同図の丸数字１矢印方向へ押すと、操作レバー２０が軸部２３を支点として時計回りに回動して、係合爪２２が係止穴３４から外される。その状態から、ベルトクリップ１を同図の丸数字２矢印方向つまり取付時の摺動と逆方向へ摺動すると、クリップ本体１０の各差込片１４ａ，１４ｂが差込穴３３ａ，３３ｂから抜け出る。このように、この構造では、携帯品３１に対する着脱操作が極めて容易であり、大きな力を必要としない。
【００１９】
なお、本発明のベルトクリップ１は、被装着物が主にベルト４０を対象とするものであるが、例えば、ズボン等の衣服の端部や縁回りにも同様にして掛け止め可能なものである。また、携帯品３１の形状については、適用携帯機器類に応じて種々変形されるものである。
【図面の簡単な説明】
【００２０】
【図１】本発明を適用したベルトクリップを携帯品の取付面との関係で示す分解斜視図である。
【図２】上記ベルトクリップを携帯品に取り付けた状態で示す正面図である。
【図３】上記ベルトクリップを携帯品に取り付ける要領を図２のＡ−Ａ線に沿って示す一部省略した断面図である。
【図４】図３のベルトクリップを取り外す要領及び図２のＢ−Ｂ線に沿って示す一部省略した断面図である。
【図５】上記ベルトクリップの本体を表裏から見た図である。
【図６】図５のＣ−Ｃ線及びＤ−Ｄ線に沿って示す断面図である。
【図７】図５のＥ−Ｅ線，Ｆ−Ｆ線及びＧ−Ｇ線に沿って示す断面図である。
【図８】上記ベルトクリップの操作レバーを示す図である。
【図９】従来ベルトクリップの一例を使用状態で示す図である。
【符号の説明】
【００２１】
１はベルトクリップ
１０はクリップ本体（本体）
１１は切欠部
１２はスリット
１３は舌片
１５は押圧片
１４ａ，１４ｂは差込片
１７は係合穴
２０は操作レバー
２２は係合爪
２３は軸部
３１は携帯品
３１Ａ，３１Ｂはハウジング
３２は取付面
３３は差込穴
３４は係止穴
４０はベルト
【図１】
2008160143.tif 000003
【図２】
2008160143.tif 000004
【図３】
2008160143.tif 000005
【図４】
2008160143.tif 000006
【図５】
2008160143.tif 000007
【図６】
2008160143.tif 000008
【図７】
2008160143.tif 000009
【図８】
2008160143.tif 000010
【図９】
2008160143.tif 000011